【手続補正書】
【提出日】平成17年10月14日(2005.10.14)
【手続補正１】
【補正対象書類名】明細書
【補正対象項目名】特許請求の範囲
【補正方法】変更
【補正の内容】
【特許請求の範囲】
【請求項１】
複数の識別情報を可変表示遊技可能な可変表示装置と、該可変表示装置の表示制御を行う表示制御手段とを備え、始動条件の成立に基づき可変表示遊技を実行し、該可変表示遊技の表示結果が予め定められた特別表示態様となったことを条件に特別遊技状態を発生可能な遊技機において、
前記始動条件の成立回数を計数する始動条件計数手段と、
前記始動条件計数手段により計数された始動条件の成立回数を記憶する始動条件記憶手段と、
前記始動条件記憶手段に記憶されている始動条件の成立回数を表示する始動条件成立回数表示手段と備え、
前記表示制御手段は、前記始動条件成立回数表示手段に表示されている始動条件の成立回数の表示結果と、前記可変表示遊技の表示結果である複数の識別情報の組合せとが一致した場合、前記複数の識別情報の少なくともいずれかを再変動させる制御を行うことを特徴とする遊技機。
【請求項２】
遊技者にとって有利な特別遊技状態を発生させるか否かを決定する遊技状態決定手段と、該遊技状態決定手段の決定結果に基づき前記可変表示装置で可変表示遊技の表示結果を導出する以前に該表示結果を決定する表示結果決定手段とを備え、
前記表示結果決定手段の決定する可変表示遊技の表示結果を表示する態様は、前記特別表示態様と、前記始動条件成立回数表示手段に表示されている始動条件の成立回数と一致する表示態様とを含む複数の表示態様があり、
前記表示結果決定手段は、前記遊技状態決定手段により前記特別遊技状態が決定された場合、前記複数の表示態様の中の１つの表示態様で表示される可変表示遊技の表示結果を決定する
ことを特徴とする請求項１記載の遊技機。
【請求項３】
前記始動条件記憶手段に記憶されている始動条件の成立回数を、前記特別遊技状態の発生に基づき消去する制御を行う始動条件消去手段を備えることを特徴とする請求項１または２記載の遊技機。
【手続補正２】
【補正対象書類名】明細書
【補正対象項目名】０００６
【補正方法】削除
【補正の内容】
【手続補正３】
【補正対象書類名】明細書
【補正対象項目名】０００７
【補正方法】変更
【補正の内容】
【０００７】
【課題を解決するための手段】
かかる目的を達成するための本発明の要旨とするところは、次の各項の発明に存する。
［１］複数の識別情報を可変表示遊技可能な可変表示装置（３１０）と、該可変表示装置（３１０）の表示制御を行う表示制御手段（１００、３００）とを備え、始動条件の成立に基づき可変表示遊技を実行し、該可変表示遊技の表示結果が予め定められた特別表示態様となったことを条件に特別遊技状態を発生可能な遊技機において、
前記始動条件の成立回数を計数する始動条件計数手段と、
前記始動条件計数手段により計数された始動条件の成立回数を記憶する始動条件記憶手段と、
前記始動条件記憶手段に記憶されている始動条件の成立回数を表示する始動条件成立回数表示手段（１３１２）と備え、
前記表示制御手段（１００、３００）は、前記始動条件成立回数表示手段（１３１２）に表示されている始動条件の成立回数の表示結果と、前記可変表示遊技の表示結果である複数の識別情報の組合せとが一致した場合、前記複数の識別情報の少なくともいずれかを再変動させる制御を行うことを特徴とする遊技機。
【手続補正４】
【補正対象書類名】明細書
【補正対象項目名】０００８
【補正方法】変更
【補正の内容】
【０００８】
［２］遊技者にとって有利な特別遊技状態を発生させるか否かを決定する遊技状態決定手段と、該遊技状態決定手段の決定結果に基づき前記可変表示装置（３１０）で可変表示遊技の表示結果を導出する以前に該表示結果を決定する表示結果決定手段とを備え、
前記表示結果決定手段の決定する可変表示遊技の表示結果を表示する態様は、前記特別表示態様と、前記始動条件成立回数表示手段（１３１２）に表示されている始動条件の成立回数と一致する表示態様とを含む複数の表示態様があり、
前記表示結果決定手段は、前記遊技状態決定手段により前記特別遊技状態が決定された場合、前記複数の表示態様の中の１つの表示態様で表示される可変表示遊技の表示結果を決定する
ことを特徴とする［１］記載の遊技機。
【手続補正５】
【補正対象書類名】明細書
【補正対象項目名】０００９
【補正方法】変更
【補正の内容】
【０００９】
［３］前記始動条件記憶手段に記憶されている始動条件の成立回数を、前記特別遊技状態の発生に基づき消去する制御を行う始動条件消去手段を備えることを特徴とする［１］または［２］記載の遊技機。
【手続補正６】
【補正対象書類名】明細書
【補正対象項目名】００１０
【補正方法】削除
【補正の内容】
【手続補正７】
【補正対象書類名】明細書
【補正対象項目名】００１２
【補正方法】変更
【補正の内容】
【００１２】
始動条件が成立すると、始動条件の成立情報が遊技機の入出力回路に入力され、主基板のＲＡＭに記憶される。主基板のＲＡＭに記憶されている始動条件の成立情報の保留数が上限値「４」未満であれば、主基板のＣＰＵは、始動条件の成立情報の保留数に１を加算し、表示遊技の実行権を確保し、始動条件の成立情報の保留数が上限値を満たしていれば、始動条件の成立情報の保留数に１を加算することなく今回の入賞に基づく表示遊技の確保はしない。また、始動条件の成立情報の保留数は、表示遊技が実行される度に１減算される。
【手続補正８】
【補正対象書類名】明細書
【補正対象項目名】００１３
【補正方法】変更
【補正の内容】
【００１３】
始動条件計数手段は、表示遊技が実行される度に主基板のＲＡＭである始動条件記憶手段に成立回数に１を加算し、加算値を始動条件の成立回数として始動条件記憶手段に記憶する。
【手続補正９】
【補正対象書類名】明細書
【補正対象項目名】００１４
【補正方法】変更
【補正の内容】
【００１４】
始動条件成立回数表示手段（１３１２）には、始動条件記憶手段に記憶されている始動条件の成立回数が表示される。表示制御手段（１００、３００）は、主基板のＲＡＭに記憶されている始動条件の成立情報の保留数が１以上であれば、可変表示装置（３１０）で可変表示遊技を実行し、可変表示遊技の表示結果と始動条件の成立回数を表示した表示結果とが一致した場合、識別情報を再変動態様で表示するようにしたので、遊技の興趣をより高めて、遊技者が表示遊技を十分に楽しむことができる。
【手続補正１０】
【補正対象書類名】明細書
【補正対象項目名】００１５
【補正方法】変更
【補正の内容】
【００１５】
ここで、前記した「一致」とは、始動条件の成立回数の表示結果と可変表示遊技の表示結果とが対応関係にあることを意味し、必ずしも完全に一致していることを意味するものではない。例えば、始動条件成立回数表示手段（１３１２）に表示された始動条件の成立回数の表示結果である「００２回」と、可変表示装置（３１０）に可変表示遊技の表示結果である「００２」とが完全に一致した場合に識別情報を再変動態様で表示する。また、例えば、始動条件の成立回数の表示結果である「２」と、可変表示装置（３１０）に可変表示遊技の表示結果である「００二」とが対応関係にある場合に識別情報を再変動態様で表示する。
【手続補正１１】
【補正対象書類名】明細書
【補正対象項目名】００１６
【補正方法】変更
【補正の内容】
【００１６】
また、可変表示装置（３１０）には、複数の識別情報を可変表示した後に可変表示遊技の表示結果が表示される。一方、始動条件成立回数表示手段（１３１２）には始動条件の成立回数が表示される。
【手続補正１２】
【補正対象書類名】明細書
【補正対象項目名】００１７
【補正方法】変更
【補正の内容】
【００１７】
２項に記載された発明では、遊技者にとって有利な特別遊技状態を発生させるか否かを決定する遊技状態決定手段と、遊技状態決定手段の決定結果に基づき可変表示装置（３１０）で可変表示結果を導出する以前に表示結果を決定する表示結果決定手段とを備えたものである。
【手続補正１３】
【補正対象書類名】明細書
【補正対象項目名】００２０
【補正方法】変更
【補正の内容】
【００２０】
例えば、表示結果決定手段が、特別表示態様で表示される可変表示遊技の表示結果を決定した場合に、可変表示遊技の表示結果が特別表示態様で表示され、特別遊技状態が発生する。また、例えば、表示結果決定手段が、始動条件の成立回数の表示結果と一致する表示態様で表示される可変表示遊技の表示結果を決定した場合に、複数の識別情報が再変動態様で表示され、その後、複数の識別情報が特別表示態様で表示されて、特別遊技状態が発生するので、特別遊技状態の発生する条件が増えるため、遊技性を高めることができる。
【手続補正１４】
【補正対象書類名】明細書
【補正対象項目名】００２１
【補正方法】変更
【補正の内容】
【００２１】
３項に記載された発明では、始動条件消去手段を備えたものである。例えば、主基板のＣＰＵである始動条件消去手段は、特別遊技状態の発生に基づいて、始動条件記憶手段に記憶されている始動条件の成立回数を消去する。それによって、始動条件の成立回数が０回になる。また、可変表示装置（３１０）には可変表示遊技の表示結果が特別表示態様で表示され、始動条件成立回数表示手段（１３１２）には０回に相当する始動条件の成立回数が表示される。
【手続補正１５】
【補正対象書類名】明細書
【補正対象項目名】００２２
【補正方法】削除
【補正の内容】
【手続補正１６】
【補正対象書類名】明細書
【補正対象項目名】０１５０
【補正方法】変更
【補正の内容】
【０１５０】
また、可変表示遊技の表示結果がはずれ表示態様で表示された場合であっても、可変表示遊技の表示結果と始動条件の成立回数の表示結果とが一致すれば、識別情報が再変動態様で表示され、その後に、特別遊技状態が発生するので、特別遊技状態の発生する条件が増えるため、遊技性を高めることができる。